(57)【特許請求の範囲】
【請求項１】
左右の縦部材と上下の横部材および左右の縦部材間に取り付ける中横部材を有し、
中横部材は前カバー板と後カバー板及び補助横材を有し、
補助横材は前面と後面に長手方向に沿った係合部を備え、
前カバー板は端部が左右の縦部材の前見付け面に被さるように補助横材よりも大きな長さと補助横材を隠蔽できる幅を有し、かつ、裏面に補助横材の係合部と係合する被係合部を長手方向に沿って備えており、
後カバー板は端部が左右の縦部材の後見付け面に被さるように補助横材よりも大きな長さと補助横材を隠蔽できる幅を有し、かつ、裏面に補助横材の係合部と係合する被係合部を長手方向に沿って備えており、
縦部材間に補助横材を取付け、補助横材の前面と後面にカバー板を係合により取り付けて中横部材としてあることを特徴としたパネル体。
【請求項２】
左右の縦部材と上下の横部材および上下の横部材間に取り付ける中縦部材を有し、
中縦部材は前カバー板と後カバー板及び補助縦材を有し、
補助縦材は前面と後面に長手方向に沿った係合部を備え、
前カバー板は端部が上下の横部材の前見付け面に被さるように補助縦材よりも大きな長さと補助縦材を隠蔽できる幅を有し、かつ、裏面に補助縦材の係合部と係合する被係合部を長手方向に沿って備えており、
後カバー板は端部が上下の横部材の後見付け面に被さるように補助縦材よりも大きな長さと補助縦材を隠蔽できる幅を有し、かつ、裏面に補助縦材の係合部と係合する被係合部を長手方向に沿って備えており、
横部材間に補助縦材を取付け、補助縦材の前面と後面にカバー板を係合により取り付けて中縦部材としてあることを特徴としたパネル体。
【発明の詳細な説明】
【技術分野】
【０００１】
本発明は、フェンス、ドア、間仕切りなどに使用するパネル体に関する。
【背景技術】
【０００２】
フェンス、ドア、間仕切りなどに使用するパネル体には、左右の縦部材と上下の横部材を組み付け、上下の横部材間に複数の中横部材を配置し、その場合に、デザイン上、縦部材を中横部材の端部に呑み込ませる構造のものがある（以下、この構造のパネル体を中横部材を取り付けたパネル体と称する）。
図９、図１０は、中横部材を取り付けたパネル体３を利用した扉の従来例であり、門扉１の一部となっている。門扉１は左右の支柱２にパネル体３の吊元側をそれぞれ上下の丁番４で回動可能に取付けており、門扉１はパネル体３，３を観音開き式に開閉することができる。符号５は取っ手、符号６は落とし棒である。
【０００３】
パネル体３は、破線で示した左右の縦部材（縦桟）７間に押出し成形による中空形材から切り出した横部材（横桟）８を複数段に固定して構成してある。縦部材７と横部材８は、デザイン上、横部材８の両端に形成した切り欠き９（図９）に縦部材７を呑み込ませてねじ止めしてある。すなわち、横部材８は、中横部材である。
このような横部材８は、その両端に切り欠き９をフライス加工で形成する必要があり、横部材８がダブルホロー材のような場合、上・中・下の３箇所に切削加工が及ぶ場合、加工費が嵩み、中横部材の本数が多い場合にはコストを押し上げる。
以上は、左右の縦部材間に中横部材を取り付けた構造について説明したが、中横部材ではなく、上下の横部材間に取り付ける中縦部材を呑み込み中縦部材とする場合でも同じである。
【０００４】
パネル体３に相当する他の例としては特許文献１のパネル構造体や特許文献２のパネルを上げることができる。
特許文献１のパネル構造体はベース部材１２を平行に配置して化粧材支持体１０を構成し、各ベース材１２に化粧材１３を係合着脱自在に取り付けた構造である。その目的は、パネルに要求される機能の種類を問わず、構成部材を共通化して機能の変更を可能なようにすることであって、中横部材の端部に切欠きを設けて縦部材を呑み込ませる構造に関するものではない。
【０００５】
特許文献２のパネルは、パネル本体３と表層材４およびパネル本体３のコーナー部３５，３６に取り付けたコーナー部材５，６とでパネル２を構成し、これを側枠材１３と横桟１４からなる枠体の横桟１４に係合により取り付けた構造である。パネル本体３の四隅におけるコーナー部のＲ加工が困難なのを、別途に成形して取り付けるコーナー部材５，６により解決しようとするものであり、中横部材の端部に切欠きを設けて縦部材を呑み込ませる構造については開示がない。
【先行技術文献】
【特許文献】
【０００６】
【特許文献１】特開２０１０−２５５３８３号公報
【特許文献２】特開平９−１３７５３３号公報
【発明の概要】
【発明が解決しようとする課題】
【０００７】
この発明は、中横部材の端部に切欠きを設けて縦部材を呑み込ませる構造（中横部材）を必要とするパネル体を、フライス加工のような切削加工（切欠き形成）を殆ど必要とせず、単なる切断加工だけで構成できる構造の提供を課題とする。
なお、以下において、中横部材を有するパネル体を９０°回転させ、横方向の部材が縦方向となる、すなわち、中横部材が中縦部材となる場合も、用語を置き換えるだけで構造的には同じである。
【課題を解決するための手段】
【０００８】
左右の縦部材と上下の横部材および左右の縦部材間に中横部材を取り付けたパネル体とする。
各中横部材は、前カバー板と後カバー板及び補助横材で構成する。
補助横材の前面と後面に長手方向に沿った係合部を設ける。
前カバー板と後カバー板は、いずれも補助横材よりも長く、両端部が左右の縦材の前見付け面に被さる長さであるとともに、補助横材を隠蔽できる幅を有する。また、前カバー板と後カバー板は、それぞれ裏面に横部材の係合部と係合する被係合部を長手方向に沿って設けてある。
そして、左右の縦部材間に補助横材を取付け、補助横材の前面と後面にカバー板を係合して中横部材とする。
【発明の効果】
【０００９】
部材に対し、フライス盤などによる切削加工が殆ど不要で、切断のみで部材を準備できるため、横部材の端部に縦部材を呑み込ませる構造の中横部材を有するパネル体を安価に提供することができる。
前カバー板や後カバー板を他のカバー板と交換することで、種々デザインのパネル体を簡単に提供することができる。
【図面の簡単な説明】
【００１０】
【図１】門扉の正面図。
【図２】要部を分解して示した斜視図。
【図３】図１のＡ−Ａ線に沿った断面見透しによる平面図（一部省略）。
【図４】図１のＢ−Ｂ線に沿った断面見透しによる側面図。
【図５】要部を分解して示した断面による側面図。
【図６】面部材の正面図。
【図７】図１のＢ−Ｂ線に沿った断面見透しに相当する側面図（実施例２）。
【図８】要部を分解して示した断面による側面図（実施例３）。
【図９】門扉の正面図（従来例）。
【図１０】要部を拡大して示した斜視図（従来例）。
【発明を実施するための形態】
【００１１】
左右の縦部材と横部材及び中横部材を有したパネル体とする。
各中横部材は、前カバー板と後カバー板及び補助横材とで構成する。
補助横材の前面と後面に長手方向に沿った係合部を設ける。
前カバー板と後カバー板は、両面パネル体の前面壁と後面壁を構成するものであり、いずれも補助横材よりも長く、両端部が左右の縦部材の前見付け面や後見付け面に被さる長さであるとともに、補助横材を隠蔽できる幅を有する。前カバー板と後カバー板には、それぞれの裏面に補助横材の係合部と係合する被係合部を長手方向に沿って設けてある。
そして、左右の縦部材間を補助横材で結合し、補助横材の前面と後面に前カバー板と後カバー板を係合により取り付け中横部材とする。
【実施例１】
【００１２】
図１は、門扉１にパネル体３を実施した例である。
門扉１は左右の支柱２にパネル体３の吊元側をそれぞれ上下の丁番４で回動可能に取付けており、門扉１はパネル体３，３を観音開き式に開閉することができる。符号５は取っ手、符号６は落とし棒である。
パネル体３は、左右の縦部材７と上下の横部材８及び中横部材１０で構成してある。
【００１３】
縦部材７は、図２，３に示すように、基本的に長方形の断面となる中空の形材であり、外面側１１の両側に突き当て突条１２を一体に成形し、内面に中央が開口された嵌合用空間１３を一体に形成してある。嵌合用空間の出口箇所は縦部材７の前面壁１４と後面壁１５の延長部分が対向する側に折り曲げられたフランジ１６となっている。
上方の横部材８は、この実施例において、上壁１７と中壁１８及び下壁１９を有するダブルホロー材であり、従来と同様に両端に縦部材７を呑み込むための切り欠き９をフライス加工で形成する。上壁１７と中壁１８の対向面にはビスホール２０，２１を成形してある。下方の横部材８は上方の横部材８と同じ断面構造であり、上下を逆にして使用してある。
【００１４】
中横部材１０は、図５のように、前カバー板２２、後カバー板２３及び補助横材２４を備える。なお、この実施例では、発泡樹脂製のスペーサー２５も備えている。
補助横材２４は、図１にそのうちの２本を破線で示しているように、左右の縦部材７，７間に取り付けられ、図２に示すように、この実施例において中空の形材から切り出した部材である。補助横材２４の平面視における幅は、縦部材７の見込み方向寸法とほぼ等しい。また、その前面側と後面側にそれぞれ鈎形の突起を対向して配置した係合部２６を長手方向に一体形成してある。符号２７はビスホールであり、後述の付子２８（図３）との結合に利用する。
【００１５】
付子２８は基壁３１とその両側から突き当て片３２が立上った断面ほぼコ字状の溝形部材で、縦部材７とほぼ同じ長さを有する。両側の突き当て片３２には弾性があり、断面で見る見込み方向の寸法（基壁３１の幅）は、縦部材７の内面側における嵌合用空間１３の入り口幅にほぼ等しい。また、突き当て片の左右方向寸法は嵌合用空間１３の左右方向寸法（奥行き寸法）にほぼ等しい。
なお、この実施例において、補助横材２４は中横部材１０の内側で上下の２箇所に配置してある。
【００１６】
前カバー板２２は、押出し成形による薄い板状であり、前面側が化粧面とされ、裏面に被係合部２９を長手方向へ一体に備える。被係合部２９は補助横材２４の係合部２６と相互に弾発した状態で係合する。後カバー板２３についても同じである。前カバー板２２、後カバー板２３はいずれも補助横材２４よりも長く、また、補助横材２４を隠蔽できる幅（この実施例では上下の補助横材２４を隠蔽する幅）を備えている。スペーサー２５は補助横材２４とほぼ同じ長さであると共に幅寸法が補助横材２４よりもわずかに大きい。
【００１７】
前カバー板２２と後カバー板２３の間に、上下の補助横材２４，２４とその中間にスペーサー２５を配置して補助横材２４の係合部２６に前後のカバー板２２，２３の被係合部２９を係合させて一体化する。上下の補助横材２４，２４は断面形状が上下で対向した配置とする。このようにして、一体化したものが中横部材１０となる。
前後のカバー板２２，２３は間に挟んだ補助横材２４よりも長いので、中横部材１０の両端部には、その長さの差による呑み込み空間３０が形成されている。その幅は縦部材７の見込み方向寸法とほぼ等しい。
スペーサー２５は前後のカバー板２２，２３の間に軽く圧縮された状態で挟まれ、前後のカバー板２２，２３ががたつくのを防止するとともに、門扉１を開閉するときの振動による音を吸収する機能がある。
【００１８】
この実施例のパネル体３は、次のように組み付けられる（図３，４）。
まず、このパネル体３に使用する中横部材１０の数に対応した本数の補助横材２４を準備し（８本）、これらを中横部材１０の位置に合わせて平坦面上に整列させ、その左右にそれぞれ付子２８を配置し、整列させた補助横材２４の端面に基壁３１を当て付ける。そして、補助横材２４の配置間隔に合わせてあらかじめ基壁３１に形成してある通し孔からビス３３をそれぞれの補助横材２４のビスホール２７にねじ込む。両側の付子２８と各補助横材２４との結合が終わると、複数の補助横材２４は両側の付子２８によって、一体化され、左右両側の側面に付子２８が突出した一種の面部材３４となる。
【００１９】
次に、この面部材３４における補助横材２４の前面と後面にそれぞれ端部から前カバー板２２と後カバー板２３を、係合部２６に被係合部２９を係合させて取り付ける。前カバー板２２と後カバー板２３の間にはスペーサー２５を配置する。これにより、前カバー板２２と後カバー板２３及び補助横枠２４とからなり、左右両端に縦部材７を呑み込むための呑み込み空間３０を有する中横部材１０が構成される。
【００２０】
ついで、前記左右の呑み込み空間３０に縦部材７の内側を嵌め込んで、面部材３４の付子２８を縦部材７の嵌合用空間１３に嵌め込み、さらに、左右縦部材７の上部間および下部間にそれぞれ横部材８を配置して、縦部材７の外側から挿入したビス３５により縦部材７と横部材８を固定する。
【００２１】
前カバー板２２の左右両端の縁、後カバー板２３の左右両端の縁はそれぞれ左右の縦部材７の突き当て突条１２の側面に当接した状態となる。
図３において、符号３８は吸音材であり、扉の閉鎖時における振動を吸収して騒音を防止する。図４において、符号３９はキャップであり、Ｔ字形をした取付部材の下垂部分３６をビス３７で左右の縦部材７，７にそれぞれ固定することにより取り付けてある。キャップ３９は、化粧のために上横部材８の上面と下横部材８の下面に取り付けられる。
以上により、実施例１のパネル体３が完成する。
【００２２】
このように構成されたパネル体３は、中横部材１０の前カバー板２２と後カバー板２３が縦部材７の前見付け面と後見付け面に被さり、従来の中空形材の横部材８に切り欠き９を形成して縦部材７を呑み込ませた構造と同じ外観となる。しかし、中横部材１０を構成している前後のカバー板２２，２３、補助横材２４はすべて切断だけの加工で準備できるので、加工が簡単である。また、前カバー板２２、後カバー板２３は簡単に他のデザインのものと交換することができる。
【実施例２】
【００２３】
図７は、実施例２におけるパネル体３の横部材８を示したもので、この実施例では上部及び下部の横部材８も中横部材１０と同様の構造となっており、補助横材４０、補助横材２４、前カバー板４１及び後カバー板４２とで構成されている。また、補助横材２４は、断面コ字形のチャンネル形となっている。他の構成は実施例１の場合と同じである。
【実施例３】
【００２４】
図８は、実施例３における中横部材１０の構造を示したものであり、実施例１の中横部材と補助横材２４断面構造と前カバー板２２、後カバー板２３の断面構造が異なるが、パネル体３として他の構造は同じである。この実施例では補助横材２４の断面がＩ形とされ、また、前後のカバー板２２，２３との係合構造も簡素にしてある。
【００２５】
以上、実施例について説明した。
上下の横部材もまた中横部材と同じ構造にすることがある。
縦部材７、横部材８などの用語を用いたが、縦・横は説明の都合上であり、実際では、パネル体３が９０°回転して使用されることもある。
一枚のパネル体３における中横部材１０の数や中横部材１０間に隙間を設けるか否かなどは設計事項である。
パネル体３は、門扉以外にも使用できる。
【符号の説明】
【００２６】
１  門扉
２  支柱
３  パネル体
４  丁番
５  取っ手
６  落とし棒
７  縦部材
８  横部材
９  切り欠き
１０  中横部材
１１  外側面
１２  突き当て突条
１３  嵌合用空間
１４  前面壁
１５  後面壁
１６  フランジ
１７  上壁
１８  中壁
１９  下壁
２０  ビスホール
２１  ビスホール
２２  前カバー板
２３  後カバー板
２４  補助横材
２５  スペーサー
２６  係合部
２７  ビスホール
２８  付子
２９  被係合部
３０  呑み込み空間
３１  基盤
３２  突き当て片
３３  ビス
３４  面部材
３５  ビス（長尺）
３６  Ｌ形金具
３７  ビス
３８  吸音材
３９  キャップ
４０  補助横材（実施例２）
４１  前カバー板
４２  後カバー板
【図１】
0005846900.tif 000002
【図２】
0005846900.tif 000003
【図３】
0005846900.tif 000004
【図４】
0005846900.tif 000005
【図５】
0005846900.tif 000006
【図６】
0005846900.tif 000007
【図７】
0005846900.tif 000008
【図８】
0005846900.tif 000009
【図９】
0005846900.tif 000010
【図１０】
0005846900.tif 000011